(57)【特許請求の範囲】
【請求項１】
農学的有効成分を含む初期体積の材料と、
包装物中心と、内側領域と、前記包装物中心から最も遠くに離れて位置する遠位部分とを有する包装物であって、前記内側領域が内側領域中心を有し、かつ、前記体積の材料を含有し、前記内側領域中心がオフセット距離によって前記包装物中心から離れて配置され、前記遠位部分が最遠距離によって前記包装物中心から離れて配置され、前記オフセット距離対前記最遠距離の比率が０．１０よりも大きい包装物とを含み、
前記包装物中心は、前記包装物内の前記体積の材料から離間する農学活性な製造物。
【請求項２】
前記包装物が、少なくとも１つの密封された貯蔵部分と、前記少なくとも１つの密封された貯蔵部分につながれる残部部分とを有し、前記少なくとも１つの密封された貯蔵部分が前記内側領域を含み、前記少なくとも１つの密封された貯蔵部分が第１の外側表面積を有し、前記残部部分が第２の外側表面積を有し、前記第１の外側表面積対前記第２の外側表面積の比率が１．２５未満である、請求項１に記載の農学活性な製造物。
【請求項３】
前記オフセット距離対前記最遠距離の比率が０．４よりも大きい、請求項１に記載の農学活性な製造物。
【請求項４】
前記オフセット距離対前記最遠距離の比率が０．７５よりも大きい、請求項１に記載の農学活性な製造物。
【請求項５】
前記包装物が実質的に平坦である、請求項１に記載の農学活性な製造物。
【請求項６】
前記包装物が、密封された貯蔵部分と、前記密封された貯蔵部分につながれる残部部分とを有し、前記密封された貯蔵部分が前記体積の前記材料を含有し、前記残部部分が外側表面積を有し、前記外側表面積対前記体積の比率が５平方センチメートル／ミリリットルよりも大きい、請求項１に記載の農学活性な製造物。
【請求項７】
前記包装物が実質的に平坦であり、かつ、少なくとも１つの密封された貯蔵部分を有し、前記少なくとも１つの密封された貯蔵部分が、前記内側領域を規定する総内側表面積を含み、前記包装物が外側表面積を有し、前記外側表面積対総内側表面積の比率が１．７５よりも大きい、請求項１に記載の農学活性な製造物。
【請求項８】
前記体積の材料は、植物の被覆面積を効果的に処理するために十分な量であり、前記植物の被覆面積が少なくとも０．２４７１１平方センチメートル／ヘクタール（０．１平方センチメートル／エーカー）から２４，７１１平方センチメートル／ヘクタール（１０，０００平方センチメートル／エーカー）である、請求項１に記載の農学活性な製造物。
【請求項９】
前記包装物が外側表面積を有し、前記外側表面積対前記被覆面積の比率が４３，２４３平方センチメートル／ヘクタール（１７，５００平方センチメートル／エーカー）よりも大きい、請求項８に記載の農学活性な製造物。
【請求項１０】
前記包装物が、前記内側領域を規定する内側表面積を含む少なくとも１つの密封部分を有し、前記内側表面積対前記被覆面積の比率が２４，７１１平方センチメートル／ヘクタール（１０，０００平方センチメートル／エーカー）よりも大きい、請求項８に記載の農学活性な製造物。
【請求項１１】
前記内側表面積対前記被覆面積の比率が６１，７７６平方センチメートル／ヘクタール（２５，０００平方センチメートル／エーカー）よりも大きい、請求項１０に記載の農学活性な製造物。
【請求項１２】
前記内側表面積対前記被覆面積の比率が８６４８７平方センチメートル／ヘクタール（３５，０００平方センチメートル／エーカー）よりも大きい、請求項１０に記載の農学活性な製造物。
【請求項１３】
前記内側表面積対前記被覆面積の比率が１２３，５５３平方センチメートル／ヘクタール（５０，０００平方センチメートル／エーカー）よりも大きい、請求項１０に記載の農学活性な製造物。
【請求項１４】
前記包装物が外側表面積を有し、前記外側表面積対前記体積の比率が１０平方センチメートル／ミリリットルよりも大きい、請求項１に記載の農学活性な製造物。
【請求項１５】
前記外側表面積対前記体積の比率が５００平方センチメートル／ミリリットルよりも大きい、請求項１４に記載の農学活性な製造物。
【請求項１６】
前記農学的有効成分が初期重量を有し、かつ前記包装物が外側表面積を有し、前記外側表面積対前記初期重量の比率が５００平方センチメートル／グラムよりも大きい、請求項１に記載の農学活性な製造物。
【請求項１７】
前記未開封の包装物が、前記外側表面積の一部分を規定するように協同する１対の垂れ部を含む、請求項１に記載の農学活性な製造物。
【請求項１８】
前記１対の垂れ部が、前記内側領域を規定する前記包装物の一部分と協同して、Ｙ字形状を規定する、請求項１７に記載の農学活性な製造物。
【発明の詳細な説明】
【技術分野】
【０００１】
本発明は、有害生物を排除するために、若しくは、そうでない場合には防除するために、及び／又は、植物成長を調節するために使用される農学活性な製造物に関連する。
【背景技術】
【０００２】
園芸家及び他の植物管理者は、有害生物、例えば、雑草、昆虫及び菌類などを排除するために、又は、そうでない場合には防除するために、並びに／或いは、植物の成長を制御するために様々な農学活性な製造物を使用する。典型的には、これらの農学活性な製造物は、１つ又はそれ以上の農学的有効成分、例えば、除草剤、殺虫剤、殺カビ剤、植物成長調節剤、界面活性剤、有効寿命延長剤、植物活力製造物などと、存在する場合には不活性成分とを含む。これらの農学活性な製造物は典型的にはまた、成分が、処理を必要としている望まれない雑草及び／又は望ましい植物に対する適用のために水と混合される場合がある送達デバイス（例えば、噴霧機）で成分が分配されるまではこれらの成分を含有するために使用される包装物又は容器を含む。
【発明の概要】
【課題を解決するための手段】
【０００３】
関連出願の相互参照
２０１２年１２月５日に出願された、農学活性な製造物（Agriculturally Active Product）と題される、米国特許出願第１３／７０５，６４８号（整理番号：ＤＡＳ−Ｐ０２８８−０１−ＵＳ）の開示は、特に参照によって本明細書中に組み込まれる。
【０００４】
本発明の１つの態様によれば、農学活性な製造物が提供される。この製造物は、植物の被覆面積を効果的に処理するために十分な量の農学的有効成分と、前記農学的有効成分を含有する内側領域を有する包装物とを含む。包装物は外側表面積を有する。外側表面積対被覆面積の比率が４３，２４３平方センチメートル／ヘクタール（１７，５００平方センチメートル／エーカー）よりも大きい。
【０００５】
本発明の別の態様によれば、別の農学活性な製造物が提供される。この製造物は、農学的有効成分を含む一定体積の材料、及び、包装物中心と、内側領域と、包装物中心から最も遠くに離れて位置する遠位部分とを有する包装物を含む。内側領域は内側領域中心を有し、前記体積の材料を含有する。内側領域中心はオフセット距離によって包装物中心から離れて配置される。遠位部分は最遠距離によって包装物中心から離れて配置される。オフセット距離対最遠距離の比率が０．１０よりも大きい。
【０００６】
本発明の別の態様によれば、別の農学活性な製造物が提供される。この製造物は、植物の被覆面積を効果的に処理するために十分な量の農学的有効成分と、前記農学的有効成分を含有する内側領域を規定する内側表面積を含む少なくとも１つの密封部分を有する未開封の包装物とを含む。内側表面積対被覆面積の比率が２４，７１１平方センチメートル／ヘクタール（１０，０００平方センチメートル／エーカー）よりも大きい。
【０００７】
本発明の別の態様によれば、別の農学活性な製造物が提供される。この製造物は、農学的有効成分を含む一定体積の材料と、前記体積を含有する内側領域を有する密封された包装物とを含む。密封された包装物は外側表面積を有する。外側表面積対体積の比率が１０平方センチメートル／ミリリットルよりも大きい。
【０００８】
本発明の別の態様によれば、別の農学活性な製造物が提供される。この製造物は、農学的有効成分を含む一定重量の材料と、前記材料を含有する内側領域を有する未開封の包装物とを含む。未開封の包装物は外側表面積を有する。外側表面積対材料の重量の比率が９平方センチメートル／グラムよりも大きい。
【０００９】
本発明の別の態様によれば、別の農学活性な製造物が提供される。この製造物は、初期体積の農学的有効成分と、前記初期体積を含有する内側領域を有する包装物とを含む。包装物は外側表面積を有する。外側表面積対初期体積の比率が５００平方センチメートル／ミリリットルよりも大きい。
【００１０】
本発明の別の態様によれば、別の農学活性な製造物が提供される。この製造物は、初期重量の農学的有効成分と、前記初期重量を含有する内側領域を有する包装物とを含む。包装物は外側表面積を有する。外側表面積対初期重量の比率が５００平方センチメートル／グラムよりも大きい。
【００１１】
本発明の別の態様によれば、別の農学活性な製造物が提供される。この製造物は、農学的有効成分、及び、少なくとも１つの密封された貯蔵部分と、前記少なくとも１つの密封された貯蔵部分につながれる残部部分とを有する包装物を含む。前記少なくとも１つの密封された貯蔵部分は、農学的有効成分を含有する少なくとも１つの内側領域を含む。前記少なくとも１つの密封された貯蔵部分は第１の外側表面積を有する。残部部分は第２の外側表面積を有する。第１の外側表面積対第２の外側表面積の比率が１．２５未満である。
【００１２】
本発明の別の態様によれば、別の農学活性な製造物が提供される。この製造物は、農学的有効成分を含む一定体積の材料、及び、密封された貯蔵部分と、前記密封された貯蔵部分につながれる残部部分とを有する包装物を含む。密封された貯蔵部分は前記体積の前記材料を含有する。残部部分は外側表面積を有する。外側表面積対前記体積の比率が５平方センチメートル／ミリリットルよりも大きい。
【００１３】
本発明の別の態様によれば、別の農学活性な製造物が提供される。この製造物は、農学的有効成分と、少なくとも１つの密封された貯蔵部分を有する実質的に平坦な包装物とを含む。前記少なくとも１つの密封された貯蔵部分は、農学的有効成分を含有する総内側領域を規定する総内側表面積を含む。包装物は外側表面積を有する。外側表面積対総内側表面積の比率が１．７５よりも大きい。
【００１４】
添付されている図面と併せて理解される本発明の実施形態の下記の記載を参照することによって、本発明の上述の特徴及び他の特徴、並びに、それらを達成する方法がより明らかになるであろうし、また、本発明そのものがよりよく理解されるであろう。
【図面の簡単な説明】
【００１５】
【図１】望ましくない雑草、昆虫、菌類又は他の有害生物を場合により含有し、また、成長調節を必要とする望ましい植物を場合により含有する菜園（果樹園）、造園地又は他の区域の図である。
【００１６】
【図２】農学的有効成分がその中に含有される包装物を含む農学活性な製造物の上面図である。
【００１７】
【図３】図１の農学活性な製造物の底面図である。
【００１８】
【図４】上部部分が農学的有効成分を含有するように包装物の下部部分から経路（点線で示される）に沿って密封される包装物の上部部分を示す、図１の包装物の一部分の上面図である。
【００１９】
【図５】農学的有効成分を含有する内側領域を規定する包装物の密封された上部部分を示す、図４の線５−５に沿って得られる断面図である。
【００２０】
【図６】経路の上部部分が切断されるならば、農学的有効成分の指向性流出のための漏斗状部を形成するために狭くされる経路の上部部分を伴う経路（点線で示される）に沿って密封される上部部分を示す、代替となる実施形態の包装物の上部部分を示す図３に類似する図である。
【００２１】
【図７】漏斗状部を形成するために狭くされる上部部分及び下部部分を伴う経路（点線で示される）に沿って密封される包装物の上部部分及び下部部分を示す、代替となる実施形態の包装物の上部部分及び下部部分を示す図６に類似する図である。
【００２２】
【図８】接着剤により互いにつながれる区画に折り重ねられる包装物を示す、図１の農学活性な製造物の断面図である。
【００２３】
【図９】上部部分及び１対の下部部分を含む包装物を示す、代替となる実施形態の包装物の図である。
【発明を実施するための形態】
【００２４】
下記に開示される実施形態は、網羅的であること、又は、本発明を下記の詳細な記載において開示される正にその形態に限定することが意図されない。むしろ、下記に開示される実施形態は、当業者がそれらの教示を利用することがあるように選ばれており、また、記載されている。
【００２５】
図１を参照すると、望ましい植物６（例えば、トマト植物、牧草、穀物、景観的植栽など）及び有害生物８（例えば、アザミ及び他の雑草、昆虫、菌類など）を含有する菜園（果樹園）、造園地又は他の区域４が示される。有害生物８を菜園区域４から排除するために、又は防除するために、有害生物８及び／又は望ましい植物６に噴霧されるか、或いは、他の場合には塗布される除草剤、殺虫剤、殺カビ剤、植物成長調節剤、界面活性剤、有効寿命延長剤、植物活力製造物又は他の農学的有効成分１２を含有する農学活性な製造物１０が与えられる。製造物１０は、包装物１４と、（包装物１４の中に含有される、図５に示される）材料１６とを含む。典型的には、材料１６は、１つ又はそれ以上の農学的有効成分１２と、１つ又はそれ以上の不活性成分１８（例えば、水又は他のフィラー）とを含む。包装物１４は、材料１６を含有する１つ又はそれ以上の内側領域２０（図５を参照のこと）を規定するために密封される。
【００２６】
使用に際して、使用者は、内側領域２０の封を切るために、包装物１４を手によって、或いは、はさみ２２又は別のデバイスを用いて開封する。包装物１４はまた、包装物１４に、端部における切れ目、プルストリップなどを備えることによって道具を用いることなく、又は、包装物１４を開封することを助けるためのそのような構造物を用いることなく開封され得るであろう。包装物１４を開封した後、使用者は材料１６を容器２４（例えば、噴霧ボトル、ホースエンド・スプレイヤー(hose-end sprayer)など）に注ぐ。材料１６を容器２４に注ぐ前に、又は、材料１６を容器２４に注いだ後で、所定の体積の水２６もまた、所定の体積２８の希釈混合物３０を調製するために容器２４に注がれる。所定の体積２８の希釈混合物３０は、所定の被覆面積３２を有効成分１２についての投薬割合に基づいて処理するために十分である。
【００２７】
図２に示されるように、包装物１４は比較的長く、その幅３６及び厚さ３８よりも実質的に大きい高さ３４を有する（図５を参照のこと）。本開示の１つの実施形態によれば、高さ３４は３３．３センチメートルであり、幅３６は６．５センチメートルであり、厚さ３８は、包装物１４の中に含有される材料１６の量に依存して、包装物１４の端部４０に近いところでの０．２１ミリメートルから、包装物１４の中心線４２に近いところでの５ミリメートルにまで及ぶ。包装物１４の総外側表面積４４が好ましくは、包装物１４の前面４６（図２）及び裏面４８（図３）を含めて約４３３平方センチメートルである。他の実施形態によれば、包装物の他の大きさ及び形状が提供され得る。例えば、いくつかの実施形態によれば、高さ３４は３センチメートルから１００センチメートルにまで及ぶ場合があり、幅３６は３センチメートルから２０センチメートルにまで及ぶ場合がある。したがって、これらの実施形態は、１８平方センチメートルから４，０００平方センチメートルにまで及ぶ総外側表面積４４を有する場合がある。他の幅、高さ及び総外側表面積もまた提供される場合がある。
【００２８】
図２に示されるように、包装物１４の前面４６は、有効成分１２によって処理される特定の有害生物８（例えば、アザミ）、会社ロゴ及び他の情報を示す場合がある図絵５０を含む。包装物１４はまた、材料１６の組成を特定する情報；注意；安全勧告；応急手当て指示；潜在的な環境危険性、身体危険性及び化学的危険性の列挙；材料１６と混合されるための水の所定の体積を含めての使用のための指示；予防策及び制限；用語及び使用条件、保証免責条項；その他を好ましくは含む文面５２を前面４６及び裏面４８（図３を参照のこと）に含む。文面５２はまた、所定の被覆面積３２及び投薬割合を示す場合がある。
【００２９】
本開示の好ましい実施形態によれば、被覆面積３２は比較的小さい。例えば、１つの実施形態によれば、被覆面積３２は約５．５７平方メートル（６０平方フィート又は０．００１４エーカー）である。希釈混合物３０の適用期間中に、使用者は混合物３０を被覆面積３２に等しい面積にわたって均一に噴霧する場合があり、又は、そうでない場合には塗布する場合がある。代替では、使用者は、混合物３０を、有害生物８が存在しない周囲区域に対してではなく、有害生物８に対して適用するだけによって、有害生物８をより大きい面積にわたってスポット処理する場合がある。スポット処理される面積の累積合計は被覆面積３２とほぼ等しくなるであろう。別の実施形態によれば、被覆面積３２は、約２３．２平方メートル（２４０平方フィート又は０．００５５エーカー）、９２．９平方メートル（１，０００平方フィート又は０．０２３エーカー）、２７８．７平方メートル（３，０００平方フィート又は０．０６８９エーカー)、又は、下記の表１に示されるようないずれかの他の面積である。本開示の代替となる実施形態によれば、他の被覆面積３２が提供される場合があり、例えば、０．１平方メートル、０．２平方メートル、０．３平方メートル、０．５平方メートル、０．７５平方メートル、１．０平方メートル、１．２５平方メートル、１．５平方メートル、２平方メートル、３平方メートル、４平方メートル、６平方メートル、７平方メートル、８平方メートル、９平方メートル、１０平方メートル、１２．５平方メートル、１５平方メートル、１７．５平方メートル、２０平方メートル、２５平方メートル、５０平方メートル、１００平方メートル、２００平方メートル、３００平方メートル、４００平方メートル、５００平方メートル、６００平方メートル、７５０平方メートル、１，０００平方メートル、２，０００平方メートル、３，０００平方メートル、４，０００平方メートル、５，０００平方メートル、７，５００平方メートル及び１０，０００平方メートルなどである場合がある。これらの面積よりも小さい他の被覆面積３２、これらの面積よりも大きい他の被覆面積３２、又は、これらの面積の間にある他の被覆面積３２もまた提供される場合がある。
【００３０】
本発明の実施形態によれば、様々な比率が製造物１０の特徴のために提供される。被覆面積３２に対する包装物１４の総外側表面積４４の比率（「ＥＳＡ対ＣＡ比」）が１つのそのような比率の一例である。本開示の１つの実施形態によれば、ＥＳＡ対ＣＡ比が、０．４０４６９ヘクタール（１エーカー）の被覆あたり４３３平方センチメートル／５．５７４平方メートル（６０平方フィート）（０．００３５ヘクタール（０．００１４エーカー））又は約３１４，２８５平方センチメートルの包装物表面積である。他の実施形態によれば、包装物１４のための他のＥＳＡ対ＣＡ比が提供される場合があり、例えば、０．４０４６９ヘクタール（１エーカー）の被覆あたり１００平方センチメートル、２００平方センチメートル、５００平方センチメートル、１，０００平方センチメートル、５，０００平方センチメートル、１０，０００平方センチメートル、１７，５００平方センチメートル、２０，０００平方センチメートル、２２，５００平方センチメートル、２５，０００平方センチメートル、３０，０００平方センチメートル、４０，０００平方センチメートル、５０，０００平方センチメートル、６０，０００平方センチメートル、７０，０００平方センチメートル、８０，０００平方センチメートル、９０，０００平方センチメートル、１００，０００平方センチメートル、１２５，０００平方センチメートル、１５０，０００平方センチメートル、２００，０００平方センチメートル、３００，０００平方センチメートル、４００，０００平方センチメートル、５００，０００平方センチメートル、７５０，０００平方センチメートル、１，０００，０００平方センチメートルの包装物表面積などである場合がある。これらの比率よりも小さい他のＥＳＡ対ＣＡ比、これらの比率よりも大きい他のＥＳＡ対ＣＡ比、又は、これらの比率の間にある他のＥＳＡ対ＣＡ比もまた提供される場合がある。さらなるＥＳＡ対ＣＡ比が、４３３平方センチメートルの外側表面積４４及び表１に示される被覆面積に基づいて下記の表１に提供される。包装物１４のためのＥＳＡ対ＣＡ比は、外側表面積４４の量及び／又は包装物１４に含有される有効成分１２の量を変更することによって変えられる場合がある。
【００３１】
選択された所定の被覆面積３２に依存して、希釈混合物３０の所定の体積２８が変化する場合がある。本開示の好ましい実施形態によれば、０．９４６３５リットル（１クォート）の所定の体積２８の希釈混合物３０が、５．５７平方メートル（６０平方フィート又は０．００１４エーカー）の被覆面積３２のために十分である（すなわち、１クォート／６０平方フィート）。上記で議論されたように、有効成分１２によって処理される被覆面積３２は種々である場合がある。結果として、希釈混合物３０の所定の体積２８もまた変化する場合がある。例えば、被覆面積３２が２３．２平方メートル（２４０平方フィート又は０．００５５エーカー）であるならば、希釈混合物３０の所定の体積２８は３．７８５リットル（４クォート）である場合がある。被覆面積３２が６６．８４平方メートル（７２０平方フィート又は０．０１６５エーカー）であるならば、希釈混合物３０の所定の体積２８は１１．３６リットル（１２クォート）である場合がある。
【００３２】
本開示の別の実施形態によれば、０．９４６．３５リットル（１クォート）の所定の体積２８の希釈混合物３０が、２３．２３平方メートル（２５０平方フィート又は０．００５７エーカー）の被覆面積３２のために十分である（すなわち、１クォート／２５０平方フィート）。上記で議論されたように、有効成分１２によって処理される被覆面積３２は種々である場合がある。結果として、希釈混合物３０の所定の体積２８もまた変化する場合がある。例えば、被覆面積３２が９２．９平方メートル（１，０００平方フィート又は０．０２３エーカー）であるならば、希釈混合物３０の所定の体積２８は３．７８５リットル（４クォート）である場合がある。被覆面積３２が２７８．７平方メートル（３，０００平方フィート又は０．０６８９エーカー）であるならば、希釈混合物３０の所定の体積２８は１１．３６リットル（１２クォート）である場合がある。本開示の代替となる他の実施形態によれば、被覆面積３２に対する所定の体積２８の他の比率が提供される場合があり、例えば、１００平方フィートあたり０．１クォート、０．２クォート、０．３クォート、０．４クォート、０．５クォート、０．７５クォート、１．２５クォート、１．５クォート、１．７５クォート、２クォート、３クォート、４クォート、５クォート、７．５クォート、１０クォート、１２．５クォート、１５クォート、１７．５クォート、２０クォート、３５クォート、５０クォート、７５クォート又は１００クォートなどである場合がある。
【００３３】
図４及び図５を参照すると、包装物１４は、内側領域２０を規定し、かつ、貯蔵部分５６を包装物１４の残部部分５８から隔てる１つ又はそれ以上の封止部５４を含む。封止部５４が、ホイル６２のシート６０を内側領域２０の近くで接着剤により互いに接着すること；シート６０を内側領域２０の近くで互いに押し付けること；熱を内側領域２０の近くでシート６０に加えること；又は、シートを内側領域２０の近くで互いに接着する何らかの他の方法によって形成される。１つ又はそれ以上の封止部５４がまた、接着が必要でないことがある場合には端部を規定するためにホイル６２を折り重ねることによって形成される場合がある。
【００３４】
貯蔵部分５６は、一定体積の内側領域２０を規定する内側表面積６６と、外側表面積（第１の外側表面積）６８とを含み、但し、これらは大きさにおいて一般に等しい。残部部分５８は一般には、内側領域２０を規定しない包装物１４の部分によって規定される。例えば、残部部分５８には、封止部５４を形成するために接着されるシート６０の端部部分７０、及び、接着される場合がある、又は、接着されない場合がある内側領域２０から離れて同様に配置される他の部分７２が含まれる。貯蔵部分５６に類似して、残部部分５８は、大きさにおいて一般に等しい外側表面積（第２の外側表面積）７４及び内側表面積７６を含む。内側表面積７６は一般には、シート６０の間における接触区域として定義される。本開示の好ましい実施形態によれば、端部部分７０は幅が約７ミリメートルである。
【００３５】
本開示の好ましい実施形態によれば、包装物１４は、残部部分５８の外側表面積７４に対する貯蔵部分５６の外側表面積６８の一定の比率（「ＥＳＡＳＰ対ＥＳＡＲＰ」比）を有する。好ましい実施形態によれば、内側領域は幅が約５．５センチメートルであり、長さが９センチメートルであり、これにより、貯蔵部分の総外側表面積６８が約９９平方センチメートルである。包装物１４の総外側表面積４４が約４３３平方センチメートルであるので、残部部分５８の外側表面積７４は約３３４平方センチメートルである。したがって、ＥＳＡＳＰ対ＥＳＡＲＰ比が、９９平方センチメートル／３３４平方センチメートル、すなわち、約０．２９６である。他の実施形態によれば、包装物１４のための他のＥＳＡＳＰ対ＥＳＡＲＰ比が提供される場合があり、例えば、０．０１、０．０２、０．０５、０．１０、０．２０、０．４０、０．５０、０．６０、０．７０、０．８０、０．９０、１．００、１．２５、１．５、２．０、３．０、５．０、６．０、７．０、８．０、９．０、１０．０、１２．５及び１５．０などである場合がある。これらの比率よりも小さい他のＥＳＡＳＰ対ＥＳＡＲＰ比、これらの比率よりも大きい他のＥＳＡＳＰ対ＥＳＡＲＰ比、又は、これらの比率の間にある他のＥＳＡＳＰ対ＥＳＡＲＰ比もまた提供される場合がある。包装物１４のためのＥＳＡＳＰ対ＥＳＡＲＰ比は、包装物１４の貯蔵部分５６及び残部部分５８の大きさ又は形状のどちらか又は両方により変化する場合がある。
【００３６】
本開示の好ましい実施形態によれば、包装物１４は、内側表面積６６に対する包装物１４の総外側表面積４４の一定の比率（「ＥＳＡ対ＩＳＡ」比）を有する。好ましい実施形態によれば、内側表面積６６は、約９９平方センチメートルの貯蔵部分５６の総外側表面積６８と実質的に同じ大きさである。上記で述べられたように、包装物１４の総外側表面積４４は約４３３平方センチメートルである。したがって、ＥＳＡ対ＩＳＡ比が、４３３平方センチメートル／９９平方センチメートル、すなわち、約４．３７である。他の実施形態によれば、包装物１４のための他のＥＳＡ対ＩＳＡ比が提供される場合があり、例えば、０．０１、０．０２、０．０５、０．１０、０．２０、０．４０、０．５０、０．６０、０．７０、０．８０、０．９０、１．００、１．２５、１．５、１．７５、２．０、３．０、５．０、６．０、７．０、８．０、９．０、１０．０、１２．５、１５．０、２５．０、５０．０、７５．０、１００、２００、４００、６００、８００及び１，０００などである場合がある。これらの比率よりも小さい他のＥＳＡ対ＩＳＡ比、これらの比率よりも大きい他のＥＳＡ対ＩＳＡ比、又は、これらの比率の間にある他のＥＳＡ対ＩＳＡ比もまた提供される場合がある。包装物１４のためのＥＳＡ対ＩＳＡ比は、包装物１４及び貯蔵部分５６の大きさ又は形状のどちらか又は両方により変化する場合がある。
【００３７】
本開示の好ましい実施形態によれば、包装物１４は、被覆面積３２に対する包装物１４の総内側表面積６６の一定の比率（「ＩＳＡ対ＣＡ」比）を有する。本開示の１つの実施形態によれば、ＩＳＡ対ＣＡ比が、０．４０４６９ヘクタール（１エーカー）の被覆あたり９９平方センチメートル／６０平方フィート又は約７１，８７４平方センチメートルの内側包装物表面積である。他の実施形態によれば、包装物１４のための他のＩＳＡ対ＣＡ比が提供される場合があり、例えば、０．４０４６９ヘクタール（１エーカー）の被覆あたり１００平方センチメートル、２００平方センチメートル、５００平方センチメートル、１，０００平方センチメートル、５，０００平方センチメートル、１０，０００平方センチメートル、１７，５００平方センチメートル、２０，０００平方センチメートル、２２，５００平方センチメートル、２５，０００平方センチメートル、３０，０００平方センチメートル、４０，０００平方センチメートル、５０，０００平方センチメートル、６０，０００平方センチメートル、７０，０００平方センチメートル、８０，０００平方センチメートル、９０，０００平方センチメートル、１００，０００平方センチメートル、１２５，０００平方センチメートル及び１５０，０００平方センチメートルの内側包装物表面積などである場合がある。これらの比率よりも小さい他のＩＳＡ対ＣＡ比、これらの比率よりも大きい他のＩＳＡ対ＣＡ比、又は、これらの比率の間にある他のＩＳＡ対ＣＡ比もまた提供される場合がある。さらなるＩＳＡ対ＣＡ比が下記の表１に提供される。包装物１４のためのＩＳＡ対ＣＡ比は、内側表面積６６の量及び／又は包装物１４に含有される有効成分１２の量を変更することによって変えられる場合がある。
【００３８】
図２に示されるように、包装物１４は包装物中心７８を含む。包装物１４の複数の隅８０が、１つの最も遠い距離８６によって中心７８から最も遠くに位置する。図３、図４及び図５に示されるように、内側領域２０は内側領域中心８２を含む。図２に示されるように、包装物中心７８がオフセット距離８４によって内側領域中心８２から離れて配置される。本開示の好ましい実施形態によれば、オフセット距離８４が１１．４５センチメートルであり、最遠距離８６が１６．９６センチメートルであり、これにより、オフセット距離対最遠距離の比率が０．６７５である。他の実施形態によれば、包装物１４のための他のオフセット距離対最遠距離比が提供される場合があり、例えば、０．０１、０．０２、０．０５、０．１０、０．２０、０．４０、０．５０、０．６０、０．７０、０．８０、０．９０、１．００、１．２５、１．５、２．０、３．０、５．０、６．０、７．０、８．０、９．０、１０．０、１２．５及び１５．０などである場合がある。これらの比率よりも小さい他のそのような比率、これらの比率よりも大きい他のそのような比率、又は、これらの比率の間にある他のそのような比率もまた提供される場合がある。包装物１４のためのそのような比率は、包装物１４の大きさ及び／又は内側領域中心８２の所在位置のどちらか又は両方により変化する場合がある。
【００３９】
被覆面積３２のための投薬割合を満たすために必要である材料１６の重量及び体積が、被覆面積３２の大きさ、有効成分の具体的なタイプ、及び、材料１６において提供される不活性成分１８の量により変化する。例えば、包装物１４は、異なるタイプの除草剤、殺虫剤、殺カビ剤など、例えば、表１に列挙される除草剤、殺虫剤、殺カビ剤など、或いは、別のタイプの有害生物防止成分及び／又は植物成長調節剤を有効成分１２として含む場合がある。本明細書中で使用される場合、有効成分の用語は、有効成分、又は、表１において星印（＊）により示されるような有効成分の酸等価物（すなわち、有効成分の酸部分）を包含する。
【表１】
0006549549.tif 000002
0006549549.tif 000003
0006549549.tif 000004
0006549549.tif 000005
0006549549.tif 000006
0006549549.tif 000007
【００４０】
それぞれの有効成分１２は、効果的な量の有効成分１２を所与の被覆面積３２に与えるために要求される要求された重量又は体積を有する。上記で述べられたように、材料１６は典型的には、有効成分１２及び不活性成分１８の両方を含む。材料１６において提供される不活性成分１８の量により、材料１６における有効成分１２の濃度が決定されることになる。この濃度により、所定の被覆面積３２のために包装物１４において要求される材料１６の重量又は体積が決定されることになる。包装物１４に含有される材料１６の量に基づいて、製造物１０の特徴のための様々な比率を決定することができる。
【００４１】
本開示の好ましい実施形態によれば、包装物１４は、内側領域２０に貯蔵される材料の体積に対する総外側表面積４４の一定の比率（「ＥＳＡ対ＶＯＭ」比）を有する。上記で議論されたように、好ましい実施形態の外側表面積４４は約４３３平方センチメートルである。表１に示されるように、内側領域２０に貯蔵される材料の体積は０．０７１ミリリットルから１９５．５ミリリットルにまで及ぶ場合があり、これにより、２．２１平方センチメートル／ミリリットルから６，０７３平方センチメートル／ミリリットルにまで及ぶＥＳＡ対ＶＯＭ比がもたらされる場合がある。他の実施形態によれば、包装物１４のための他のＥＳＡ対ＶＯＭ比が提供される場合があり、例えば、０．１平方センチメートル／ミリリットル、０．２平方センチメートル／ミリリットル、０．５平方センチメートル／ミリリットル、１．０平方センチメートル／ミリリットル、２．０平方センチメートル／ミリリットル、４．０平方センチメートル／ミリリットル、５．０平方センチメートル／ミリリットル、６．０平方センチメートル／ミリリットル、７．０平方センチメートル／ミリリットル、８．０平方センチメートル／ミリリットル、９．０平方センチメートル／ミリリットル、１０平方センチメートル／ミリリットル、１２．５平方センチメートル／ミリリットル、１５平方センチメートル／ミリリットル、２０平方センチメートル／ミリリットル、３０平方センチメートル／ミリリットル、５０平方センチメートル／ミリリットル、６０平方センチメートル／ミリリットル、７０平方センチメートル／ミリリットル、８０平方センチメートル／ミリリットル、９０平方センチメートル／ミリリットル、１００平方センチメートル／ミリリットル、１２５平方センチメートル／ミリリットル、２５０平方センチメートル／ミリリットル、５００平方センチメートル／ミリリットル、１，０００平方センチメートル／ミリリットル、２，０００平方センチメートル／ミリリットル、３，０００平方センチメートル／ミリリットル、４，０００平方センチメートル／ミリリットル、５，０００平方センチメートル／ミリリットル、７，５００平方センチメートル／ミリリットル、１０，０００平方センチメートル／ミリリットル及び１５，０００平方センチメートル／ミリリットルなどである場合がある。これらの比率よりも小さい他のＥＳＡ対ＶＯＭ比、これらの比率よりも大きい他のＥＳＡ対ＶＯＭ比、又は、これらの比率の間にある他のＥＳＡ対ＶＯＭ比もまた提供される場合がある。包装物１４のためのＥＳＡ対ＶＯＭ比は、包装物１４の大きさ又は形状のどちらか又は両方及び内部領域２０に貯蔵される材料の体積により変化させられる場合がある。
【００４２】
本開示の好ましい実施形態によれば、包装物１４は、内側領域２０に貯蔵される材料の体積に対する貯蔵部分５６の外側表面積６８の一定の比率（「ＥＳＡＲＰ対ＶＯＭ」比）を有する。上記で議論されたように、好ましい実施形態の貯蔵部分５６の外側表面積６８は約３３４平方センチメートルである。表１に示されるように、内側領域２０に貯蔵される材料の体積は０．０７１ミリリットルから１９５．５ミリリットルにまで及ぶ場合があり、これにより、１．７１平方センチメートル／ミリリットルから４，６８４平方センチメートル／ミリリットルにまで及ぶＥＳＡＲＰ対ＶＯＭ比がもたらされる場合がある。他の実施形態によれば、包装物１４のための他のＥＳＡＲＰ対ＶＯＭ比が提供される場合があり、例えば、０．１平方センチメートル／ミリリットル、０．２平方センチメートル／ミリリットル、０．５平方センチメートル／ミリリットル、１．０平方センチメートル／ミリリットル、２．０平方センチメートル／ミリリットル、４．０平方センチメートル／ミリリットル、５．０平方センチメートル／ミリリットル、６．０平方センチメートル／ミリリットル、７．０平方センチメートル／ミリリットル、８．０平方センチメートル／ミリリットル、９．０平方センチメートル／ミリリットル、１０平方センチメートル／ミリリットル、１２．５平方センチメートル／ミリリットル、１５平方センチメートル／ミリリットル、２０平方センチメートル／ミリリットル、３０平方センチメートル／ミリリットル、５０平方センチメートル／ミリリットル、６０平方センチメートル／ミリリットル、７０平方センチメートル／ミリリットル、８０平方センチメートル／ミリリットル、９０平方センチメートル／ミリリットル、１００平方センチメートル／ミリリットル、１２５平方センチメートル／ミリリットル、２５０平方センチメートル／ミリリットル、５００平方センチメートル／ミリリットル、１，０００平方センチメートル／ミリリットル、２，０００平方センチメートル／ミリリットル、３，０００平方センチメートル／ミリリットル、４，０００平方センチメートル／ミリリットル、５，０００平方センチメートル／ミリリットル、７，５００平方センチメートル／ミリリットル、１０，０００平方センチメートル／ミリリットル及び１５，０００平方センチメートル／ミリリットルなどである場合がある。これらの比率よりも小さい他のＥＳＡＲＰ対ＶＯＭ比、これらの比率よりも大きい他のＥＳＡＲＰ対ＶＯＭ比、又は、これらの比率の間にある他のＥＳＡＲＰ対ＶＯＭ比もまた提供される場合がある。包装物１４のためのＥＳＡＲＰ対ＶＯＭ比は、包装物１４の大きさ又は形状のどちらか又は両方及び内部領域２０に貯蔵される材料の体積により変化させられる場合がある。
【００４３】
本開示の好ましい実施形態によれば、包装物１４は、内側領域２０に貯蔵される材料の重量に対する総外側表面積４４の一定の比率（「ＥＳＡ対ＷＯＭ」比）を有する。上記で議論されたように、好ましい実施形態の外側表面積４４は約４３３平方センチメートルである。表１に示されるように、内側領域２０に貯蔵される材料の重量は０．０５グラムから２３６グラムにまで及ぶ場合があり、これにより、１．８３平方センチメートル／グラムから８，４３４平方センチメートル／グラムにまで及ぶＥＳＡ対ＷＯＭ比がもたらされる場合がある。他の実施形態によれば、包装物１４のための他のＥＳＡ対ＷＯＭ比が提供される場合があり、例えば、０．０１平方センチメートル／グラム、０．０２平方センチメートル／グラム、０．０３平方センチメートル／グラム、０．０５平方センチメートル／グラム、０．０７５平方センチメートル／グラム、０．１平方センチメートル／グラム、０．２平方センチメートル／グラム、０．５平方センチメートル／グラム、１．０平方センチメートル／グラム、２．０平方センチメートル／グラム、４．０平方センチメートル／グラム、５．０平方センチメートル／グラム、６．０平方センチメートル／グラム、７．０平方センチメートル／グラム、８．０平方センチメートル／グラム、９．０平方センチメートル／グラム、１０平方センチメートル／グラム、１２．５平方センチメートル／グラム、１５平方センチメートル／グラム、２０平方センチメートル／グラム、３０平方センチメートル／グラム、５０平方センチメートル／グラム、６０平方センチメートル／グラム、７０平方センチメートル／グラム、８０平方センチメートル／グラム、９０平方センチメートル／グラム、１００平方センチメートル／グラム、１２５平方センチメートル／グラム、２５０平方センチメートル／グラム、５００平方センチメートル／グラム、１，０００平方センチメートル／グラム、２，０００平方センチメートル／グラム、３，０００平方センチメートル／グラム、４，０００平方センチメートル／グラム、５，０００平方センチメートル／グラム、７，５００平方センチメートル／グラム、１０，０００平方センチメートル／グラム及び１５，０００平方センチメートル／グラムなどである場合がある。これらの比率よりも小さい他のＥＳＡ対ＷＯＭ比、これらの比率よりも大きい他のＥＳＡ対ＷＯＭ比、又は、これらの比率の間にある他のＥＳＡ対ＷＯＭ比もまた提供される場合がある。包装物１４のためのＥＳＡ対ＷＯＭ比は、包装物１４の大きさ又は形状のどちらか又は両方及び内部領域２０に貯蔵される材料の重量により変化させられる場合がある。
【００４４】
本開示の好ましい実施形態によれば、包装物１４は、内側領域２０に貯蔵される有効成分の体積に対する総外側表面積４４の一定の比率（「ＥＳＡ対ＶＡＩ」比）を有する。上記で議論されたように、好ましい実施形態の外側表面積４４は約４３３平方センチメートルである。表１に示されるように、内側領域２０に貯蔵される有効成分の体積は０．０２２５ミリリットルから１２３．８ミリリットルにまで及ぶ場合があり、これにより、３．５０平方センチメートル／ミリリットルから１９，２３５平方センチメートル／ミリリットルにまで及ぶＥＳＡ対ＶＡＩ比がもたらされる場合がある。典型的には、有効成分の体積は、内部領域２０に含有される材料の体積を構成する水又は他の溶液に加えられる有効成分の嵩密度に依存する。他の実施形態によれば、包装物１４のための他のＥＳＡ対ＶＡＩ比が提供される場合があり、例えば、０．１平方センチメートル／ミリリットル、０．２平方センチメートル／ミリリットル、０．５平方センチメートル／ミリリットル、１．０平方センチメートル／ミリリットル、２．０平方センチメートル／ミリリットル、４．０平方センチメートル／ミリリットル、５．０平方センチメートル／ミリリットル、６．０平方センチメートル／ミリリットル、７．０平方センチメートル／ミリリットル、８．０平方センチメートル／ミリリットル、９．０平方センチメートル／ミリリットル、１０平方センチメートル／ミリリットル、１２．５平方センチメートル／ミリリットル、１５平方センチメートル／ミリリットル、２０平方センチメートル／ミリリットル、３０平方センチメートル／ミリリットル、５０平方センチメートル／ミリリットル、６０平方センチメートル／ミリリットル、７０平方センチメートル／ミリリットル、８０平方センチメートル／ミリリットル、９０平方センチメートル／ミリリットル、１００平方センチメートル／ミリリットル、１２５平方センチメートル／ミリリットル、２５０平方センチメートル／ミリリットル、５００平方センチメートル／ミリリットル、１，０００平方センチメートル／ミリリットル、２，０００平方センチメートル／ミリリットル、３，０００平方センチメートル／ミリリットル、４，０００平方センチメートル／ミリリットル、５，０００平方センチメートル／ミリリットル、７，５００平方センチメートル／ミリリットル、１０，０００平方センチメートル／ミリリットル、１５，０００平方センチメートル／ミリリットル、２０，０００平方センチメートル／ミリリットル、３０，０００平方センチメートル／ミリリットル、４０，０００平方センチメートル／ミリリットル、６０，０００平方センチメートル／ミリリットル、８０，０００平方センチメートル／ミリリットル及び１００，０００平方センチメートル／ミリリットルなどである場合がある。これらの比率よりも小さい他のＥＳＡ対ＶＡＩ比、これらの比率よりも大きい他のＥＳＡ対ＶＡＩ比、又は、これらの比率の間にある他のＥＳＡ対ＶＡＩ比もまた提供される場合がある。包装物１４のためのＥＳＡ対ＶＡＩ比は、包装物１４の大きさ又は形状のどちらか又は両方及び内部領域２０に貯蔵される有効成分の体積により変化させられる場合がある。
【００４５】
本開示の好ましい実施形態によれば、包装物１４は、内側領域２０に貯蔵される有効成分の重量に対する総外側表面積４４の一定の比率（「ＥＳＡ対ＷＡＩ」比）を有する。上記で議論されたように、好ましい実施形態の外側表面積４４は約４３３平方センチメートルである。表１に示されるように、内側領域２０に貯蔵される材料の重量は０．０１４７グラムから６９．３５グラムにまで及ぶ場合があり、これにより、６．２４平方センチメートル／グラムから２９，４４５平方センチメートル／グラムにまで及ぶＥＳＡ対ＷＡＩ比がもたらされる場合がある。他の実施形態によれば、包装物１４のための他のＥＳＡ対ＷＡＩ比が提供される場合があり、例えば、０．１センチメートル／グラム、０．２センチメートル／グラム、０．５センチメートル／グラム、１．０センチメートル／グラム、２．０センチメートル／グラム、４．０センチメートル／グラム、５．０センチメートル／グラム、６．０センチメートル／グラム、７．０センチメートル／グラム、８．０センチメートル／グラム、９．０センチメートル／グラム、１０センチメートル／グラム、１２．５センチメートル／グラム、１５センチメートル／グラム、２０センチメートル／グラム、３０センチメートル／グラム、５０センチメートル／グラム、６０センチメートル／グラム、７０センチメートル／グラム、８０センチメートル／グラム、９０センチメートル／グラム、１００センチメートル／グラム、１２５センチメートル／グラム、２５０センチメートル／グラム、５００センチメートル／グラム、１，０００センチメートル／グラム、２，０００センチメートル／グラム、３，０００センチメートル／グラム、４，０００センチメートル／グラム、５，０００センチメートル／グラム、７，５００センチメートル／グラム、１０，０００センチメートル／グラム、１５，０００センチメートル／グラム、２０，０００センチメートル／グラム、３０，０００センチメートル／グラム、４０，０００センチメートル／グラム、６０，０００センチメートル／グラム、８０，０００センチメートル／グラム及び１００，０００センチメートル／グラムなどである場合がある。これらの比率よりも小さい他のＥＳＡ対ＷＡＩ比、これらの比率よりも大きい他のＥＳＡ対ＷＡＩ比、又は、これらの比率の間にある他のＥＳＡ対ＷＡＩ比もまた提供される場合がある。包装物１４のためのＥＳＡ対ＷＡＩ比は、包装物１４の大きさ又は形状のどちらか又は両方及び内部領域２０に貯蔵される有効成分の重量により変化させられる場合がある。
【００４６】
代替となる実施形態の包装物１１４の一部分が図６に示される。包装物１１４は、封止部５４’が包装物１１４の上部で狭くなることを除いて、包装物１４と類似している。封止部５４’が狭くなることにより、材料１６が包装物１４’からの材料１６の分散時に通って流れるための漏斗状部８８が規定される。使用者は、包装物１４’を開封するために包装物１４’を漏斗状部８８の上部の端から端まで切断する。その後、使用者は包装物１４’を絞って、材料１６を、漏斗状部８８を介して容器２４の中に向かわせる。
【００４７】
別の代替となる実施形態の包装物２１４’の一部分が図７に示される。包装物２１４’は、２つの封止部５４’が提供されることを除いて、包装物１１４と類似しており、但し、この場合、１つの封止部が包装物２１４’の上部にあり、１つの封止部が包装物２１４の底部にある。それぞれの密封された体積における有効成分１２は同じである場合があり、又は、それぞれの密封された体積における有効成分１２は異なる場合がある。多数の密封された体積を提供することによって、使用者は有効成分を異なる時点で使用する場合がある。例えば、使用者は、密封された体積の１つに由来する有効成分１６を処理の第１の経過のために使用し、そして、それ以外の密封された体積に由来する有効成分１６を処理の第２の経過のために使用する場合がある。何回かの処理のために、第１及び第２の経過は、同じ有効成分１６を必要とする場合がある。何回かの処理のために、第１及び第２の経過は、異なる有効成分を必要とする場合がある。
【００４８】
包装物１４（並びに包装物１１４及び包装物２１４）は、図８に示されるようなよりコンパクトな配置を提供するために折り重ねられる場合がある。折り重ねられるとき、包装物１４は好ましくは、多数の折り重なり部９０を含み、この場合、これらのうちの１つが内側領域２０を含む。１つの実施形態によれば、接着剤９２が、隣接する折り重なり部９０を互いに接着するために、隣接する折り重なり部９０の間に提供される。
【００４９】
別の代替となる実施形態の包装物３１４が図９に示される。包装物３１４は、下部部分９４が２つの垂れ部９６に分かれることを除いて、包装物１４と類似している。上部部分９８が内側領域２０を含む。文面５２（及び／又は図絵）が下部部分９４の垂れ部９６のどちらか又は両方の側及び上部部分９８に提供される場合がある。垂れ部９６のそれぞれの側及び上部部分９８のそれぞれの側が協同して、包装物３１４の外側表面積を規定する。結果として、包装物３１４の全体的高さを、包装物１４、包装物１１４及び包装物２１４と比較したときには、同じ外側表面積を維持しながら減らすことができる。
【００５０】
本発明が、例示的な設計と関連するように記載されているが、本発明は本開示の精神及び範囲の範囲内でさらに改変される場合がある。さらに、本出願は、本発明が関連する技術分野における公知の実施又は慣例的な実施の範囲内であるような本開示からのそのような展開を包含することが意図される。
【図１】
0006549549.tif 000008
【図２】
0006549549.tif 000009
【図３】
0006549549.tif 000010
【図４】
0006549549.tif 000011
【図５】
0006549549.tif 000012
【図６】
0006549549.tif 000013
【図７】
0006549549.tif 000014
【図８】
0006549549.tif 000015
【図９】
0006549549.tif 000016